(57)【要約】      （修正有）【課題】強度が強く、安定した自転車の自転車かごの固定手段を提供する。【解決手段】Ｓ字状の固定フレーム１と、支持手段４０とを含んでなり、固定フレームは、下端に設けられた自転車かごＡの底面に掛合するために供する前方に延伸した第一フック１０と、上端に設けられたハンドルに掛合するために供する後方に延伸した第二フック２０と、該固定フレームに横向きに設けられた掛合桿３０とを含んでなり、該掛合桿上には、自転車かごのハンドルＣの端縁部を貫通して固定するために供する少なくとも１以上のリング体３１が設けられ、支持手段は、固定手段の後方に延伸しているため、固定フレームが略Ｌ字状になり、該支持手段の端縁部には接続手段が設けられ、該接続手段が支持手段と自転車の前方管体との間に設けられる。【選択図】図１
0003141698.tif 000002
【実用新案登録請求の範囲】
【請求項１】
Ｓ字状の固定フレームと、支持手段とを含んでなり、
該固定フレームは、下端に設けられた自転車かごの底面に掛合するために供する前方に延伸した第一フックと、上端に設けられたハンドルに掛合するために供する後方に延伸した第二フックと、該固定フレームに横向きに設けられた掛合桿とを含んでなり、該掛合桿上には、自転車かごのハンドルの端縁部を貫通して固定するために供する少なくとも１以上のリング体が設けられ、
該支持手段は、固定手段の後方に延伸し、固定フレームと略Ｌ字状を形成し、該支持手段の端縁部には接続手段が設けられ、該接続手段が支持手段と自転車の前方管体との間に設けられることを特徴とする自転車の自転車かごの固定手段。
【請求項２】
前記固定フレームが、両端にＳ字状の桿体を平行に設けるとともに、該Ｓ字状の桿体の間に掛合桿が設けられ、前記第一フックが固定フレームの底面端縁部に隣接する自転車かごに掛合することを特徴とする請求項１に記載の自転車の自転車かごの固定手段。
【請求項３】
前記支持手段が、Ｕ字状の桿体からなり、該Ｕ字状の桿体は、一端縁部がそれぞれ、両端がＳ字状の桿体の外周面に接続し、他端が内側に凹出した凹部に形成され、
前記接続手段が、マジックテープ（登録商標）からなり、該マジックテープ（登録商標）は、本体と、該本体の中央部分に縫設され、該本体よりも長さが短い補助体と、該本体と補助体との間に形成された貫通部と、該本体の両端に設けられ、互いに粘着する粘着端とを含んでなり、
該貫通部は、Ｕ字状の桿体と固定フレームとを組み合わせる前に、Ｕ字状の桿体の一端を挿入して凹部に設け、Ｕ字状の桿体と、マジックテープ（登録商標）とが接続されて強度を具える構造からなることを特徴とする請求項２に記載の自転車の自転車かごの固定手段。
【考案の詳細な説明】
【技術分野】
【０００１】
この考案は、自転車の自転車かごの固定手段であって、特に自転車で走行中に荷物を入れておくための自転車の自転車かごの固定手段である。
【背景技術】
【０００２】
従来の自転車の自転車かごの固定手段は、自転車の前方端縁部にネジなどで直接自転車に固定して設けられている。
【０００３】
しかしながら、走行中に荷物を入れる以外、他の機能がなかった。
【０００４】
そこで、他の考案者が着脱自在の自転車かごの固定手段を考案した。即ち、走行中は自転車に設け、ショッピングモールなどに到着した後、必要に応じて自転車から取り外して使用することができる。例えば、自転車かごを自転車から取り外してショッピングモールに携帯し、商品を自転車かご内に入れれば、ショッピングバッグを必要としない。
【０００５】
しかしながら、着脱自在の自転車かごは、自転車かごと自転車との間に固定装置を設けなければならない。
【０００６】
該固定装置は強度を具え、着脱する場合に便利かどうか、注意が必要になる。
【０００７】
しかし、自転車かごと自転車の間に設けられる従来の該固定装置は、強度において、改良が必要である。
【考案の開示】
【考案が解決しようとする課題】
【０００８】
この考案は、強度が強く、安定した自転車の自転車かごの固定手段を提供することを課題とする。
【課題を解決するための手段】
【０００９】
そこで、本考案者は従来の技術に見られる欠点に鑑みて鋭意研究を重ねた結果、Ｓ字状の固定フレームと、支持手段とを含んでなり、
該固定フレームは、下端に設けられた自転車かごの底面に掛合するために供する前方に延伸した第一フックと、上端に設けられたハンドルに掛合するために供する後方に延伸した第二フックと、該固定フレームに横向きに設けられた掛合桿とを含んでなり、該掛合桿上には、自転車かごのハンドルの端縁部を貫通して固定するために供する少なくとも１以上のリング体が設けられ、
該支持手段は、固定手段の後方に延伸しているため、固定フレームと略Ｌ字状を形成し、該支持手段の端縁部には接続手段が設けられ、該接続手段が支持手段と自転車の前方管体との間に設けられる自転車の自転車かごの固定手段の構造によって課題を解決できる点に着眼し、かかる知見に基づいて本考案を完成させた。
【００１０】
以下、この考案について具体的に説明する。
請求項１に記載の自転車の自転車かごの固定手段は、Ｓ字状の固定フレームと、支持手段とを含んでなり、
該固定フレームは、下端に設けられた自転車かごの底面に掛合するために供する前方に延伸した第一フックと、上端に設けられたハンドルに掛合するために供する後方に延伸した第二フックと、該固定フレームに横向きに設けられた掛合桿とを含んでなり、該掛合桿上には、自転車かごのハンドルの端縁部を貫通して固定するために供する少なくとも１以上のリング体が設けられ、
該支持手段は、固定手段の後方に延伸しているため、固定フレームと略Ｌ字状を形成し、該支持手段の端縁部には接続手段が設けられ、該接続手段が支持手段と自転車の前方管体との間に設けられる。
【００１１】
請求項２に記載の自転車の自転車かごの固定手段は、請求項１における固定フレームが、両端にＳ字状の桿体を平行に設けるとともに、該Ｓ字状の桿体の間に掛合桿が設けられ、該第一フックが固定フレームの底面端縁部に隣接する自転車かごに掛合する。
【００１２】
請求項３に記載の自転車の自転車かごの固定手段は、  請求項２における支持手段が、Ｕ字状の桿体からなり、該Ｕ字状の桿体は、一端縁部がそれぞれ、両端がＳ字状の桿体の外周面に接続し、他端が内側に凹出した凹部に形成され、
該接続手段が、マジックテープ（登録商標）からなり、該マジックテープ（登録商標）は、本体と、該本体の中央部分に縫設され、該本体よりも長さが短い補助体と、該本体と補助体との間に形成された貫通部と、該本体の両端に設けられ、互いに粘着する粘着端とを含んでなり、
該貫通部は、Ｕ字状の桿体と固定フレームとを組み合わせる前に、Ｕ字状の桿体の一端を挿入して凹部に設けるため、Ｕ字状の桿体と、マジックテープ（登録商標）とが接続されて強度を具える構造からなる。
【考案の効果】
【００１３】
この考案による自転車の自転車かごの固定手段は、複数の箇所で自転車かごを自転車に確実に固定するとともに、着脱が便利であるという効果を有する。
【考案を実施するための最良の形態】
【００１４】
この考案は、強度が強く、安定した自転車の自転車かごであって、Ｓ字状の固定フレームと、支持手段とを含んでなり、該固定フレームは、下端に設けられた自転車かごの底面に掛合するために供する前方に延伸した第一フックと、上端に設けられたハンドルに掛合するために供する後方に延伸した第二フックと、該固定フレームに横向きに設けられた掛合桿とを含んでなり、該掛合桿上には、自転車かごのハンドルの端縁部を貫通して固定するために供する少なくとも１以上のリング体が設けられ、該支持手段は、固定手段の後方に延伸しているため、固定フレームと略Ｌ字状を形成し、該支持手段の端縁部には接続手段が設けられ、該接続手段が支持手段と自転車の前方管体との間に設けられる自転車の自転車かごの固定手段の構造と特徴を詳述するために具体的な実施例を挙げ、図示を参照にして以下に説明する。
【実施例】
【００１５】
図１から図５は、この考案の自転車の自転車かごの固定手段を示したものである。図面によれば、該固定手段は、自転車かごＡを含んでなる。
【００１６】
該自転車かごＡは、材質、或いは形状を制限されることがなく、固定手段に接続され、該固定手段が自転車ＤのハンドルＥと前方管体Ｆに設けられる。
【００１７】
該自転車かごＡは、該固定手段に接続するため、底面に必ず位置決め部Ｂが設けられ、掛設ために供する。
【００１８】
また、自転車かごＡは、かならずハンドルＣを具えてなる。該ハンドルＣは、端縁部が自転車かごＡの表面に回動自在に枢設されるとともに、端縁部に、水平に延伸した貫通桿が設けられる。
【００１９】
該固定手段は、略Ｓ字を呈した固定フレーム１と、支持手段４０とを含んでなる。該固定フレームは、下端に、前方方向に延伸した第一フック１０を具えてなる。該第一フック１０は、自転車かごＡの底面の、固定フレームの端縁部に隣接する位置に設けられた位置決め部Ｂに接続するために供する。
【００２０】
該位置決め部Ｂは、第一フック１０の弧を描いている部分に合わせて設けられる。即ち、第一フックは、水平に延伸して直線を形成した後、フック状に湾曲される。よって、該位置決め部Ｂが固定フレームから離れた位置に設けられため、取り外しに便利である。
【００２１】
また、この実施形態では、使用上の便利性を考慮して、該固定フレーム１の上端に後方に延伸した第二フック部２０を形成する。よって、ハンドルＥに掛合して設けることができる。
【００２２】
該固定フレーム１は、両端にＳ字状の桿体を具えた桿体が平行に設けられている。また、該桿体の間には、長手方向に垂直である横向きの方向に掛合桿３０が設けられる。
【００２３】
該掛合桿３０は、表面に二つのリング体３１を設けてなる。該リング体３１は、自転車かごＡのハンドルの端縁部を貫通して固定して設けることができる。
【００２４】
ハンドルＣを上方に持ち上げるか、或いは下方に下げると、該リング体３１に係合するか、或いは係合状態を解除することができる。
【００２５】
よって、第一フック部１０と、リング体３１によって、固定フレーム１を位置決めすることができる。
【００２６】
該支持手段４０は、Ｕ字状の桿体であって、該Ｕ字状の両端はそれぞれ、両端にＳ字状の桿体を設けた桿体に固定して設けられる。よって、該固定フレーム１と略Ｌ字状を形成する。
【００２７】
また、該支持手段４０のＵ字状の桿体の他端は、内側に窪んだ凹部４２に形成され、支持手段４０の端縁部に接続手段が設けられる。
【００２８】
該接続手段は、支持手段４０と自転車Ｄの前方管体Ｆとの間に設けられる。該凹部４２が前方管体Ｆの外周面に当接する。
【００２９】
この考案の実施形態では、該接続手段がマジックテープ（登録商標）４１からなる。図６に開示するように、該マジックテープ（登録商標）４１は、本体４３と、該本体の中央部分に縫設され、該本体よりも長さが短い補助体４４と、該本体と補助体との間に形成された貫通部４５と、該本体の両端に設けられ、互いに粘着する粘着端と、を含んでなる。
【００３０】
該貫通部は、Ｕ字状の桿体を該固定フレーム１に組み合わせる前に、Ｕ字状の桿体の一端を挿入して該凹部に設ける。よって、Ｕ字状の桿体である支持手段４０と、マジックテープ（登録商標）４１を具えた接続手段とが接続されるため、外部と接続されるだけでなく、強度も具え、使用上も便利である。
【００３１】
前述のように、マジックテープ（登録商標）４１と、第二フック２０は、自転車Ｄの端縁部に固定フレーム１を位置決めする。
【００３２】
使用上、該マジックテープ（登録商標）４１は、使用者が手で取り外し、第二フック２０をハンドルＥから取り外すことができる。よって、固定手段を取り外すことができるため、非常に便利である。
【００３３】
また、図７、図８、に開示するように、自転車かごＡは、固定手段に固定、或いは取り外す場合、自転車かごＡのハンドルＣを設ければ、すぐに着脱することができる。
【００３４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３５】
【図１】この考案の自転車の自転車かごの固定手段を示した分解図である。
【図２】この考案の自転車の自転車かごの固定手段を示した斜視図である。
【図３】この考案の自転車の自転車かごの固定手段を自転車に設けた状態を示した説明図である。
【図４】この考案の自転車の自転車かごの固定手段と自転車かごを自転車に設けた状態を示した斜視図である。
【図５】図４に開示した自転車の自転車かごの固定手段を示した側面図である。
【図６】この考案の自転車の自転車かごの固定手段の接続手段を示した斜視図である。
【図７】この考案の自転車の自転車かごの固定手段と自転車かごとを組み合わせる状態を示した説明図である。
【図８】この考案の自転車の自転車かごの固定手段と自転車かごとを組み合わせる状態を示した説明図である。
【符号の説明】
【００３６】
１     固定フレーム
１０   第一フック
２０   第二フック
３０   掛合桿
３１   リング体
４０   支持手段
４１   マジックテープ（登録商標）
４２   凹部
４３   本体
４４   補助体
４５   貫通部
Ａ     自転車かご
Ｂ     位置決め部
Ｃ     ハンドル
Ｄ     自転車
Ｅ     ハンドル
Ｆ     前方管体
【図１】
0003141698.tif 000003
【図２】
0003141698.tif 000004
【図３】
0003141698.tif 000005
【図４】
0003141698.tif 000006
【図５】
0003141698.tif 000007
【図６】
0003141698.tif 000008
【図７】
0003141698.tif 000009
【図８】
0003141698.tif 000010